Podtech/llm-jp-corpus-v4-ja_patent huggingface dataset:
【誤訳訂正書】
【提出日】平成28年2月22日(2016.2.22)
【誤訳訂正１】
【訂正対象書類名】明細書
【訂正対象項目名】００７２
【訂正方法】変更
【訂正の内容】
【００７２】
本発明の免疫抱合体は、受容体チロシンキナーゼ（好ましくはＥｒｂＢ（ＥｒｂＢ１／ＥｒｂＢ２）受容体）に指向する免疫グロブリンまたはその免疫治療的に有効な断片とインテグリン拮抗性ペプチドとからなるか、あるいは、血管形成受容体（好ましくはインテグリンもしくはＶＥＧＦの受容体）に指向する免疫グロブリンまたはその免疫治療的に有効な断片と、ＴＮＦαと、または、実質的にＴＮＦαとＩＦＮγもしくは他の好適なサイトカインとからなる融合タンパク質と、からなり、そのＮ末端が、前記免疫グロブリンの、好ましくはそのＦｃ部分のＣ末端に結合している。この用語はまた、二重もしくは多特異性免疫グロブリン（抗体）またはその断片を含む対応する融合コンストラクトも含む。用語「機能的に無傷の誘導体」とは、本発明の理解によれば、好ましくは化合物、ペプチド、タンパク質、抗体（免疫グロブリン）、免疫抱合体などの断片または部分、修飾、変異体、相同体または非免疫化形態（免疫応答に関与するエピトープが除去されている修飾）であって、元の化合物、ペプチド、タンパク質、抗体（免疫グロブリン）、免疫抱合体などと主に同一の生物学的および／または治療的機能を有するものを意味する。しかし、用語はまた、低減されたかまたは強化された有効性を示す誘導体も含む。
【誤訳訂正書】
【提出日】平成28年3月29日(2016.3.29)
【誤訳訂正１】
【訂正対象書類名】特許請求の範囲
【訂正対象項目名】全文
【訂正方法】変更
【訂正の内容】
【特許請求の範囲】
【請求項１】
流体を収容するための、２つの端面によって閉鎖された側壁を有する実質的にシリンダー形状の空洞部を有するポンプ本体であって、前記空洞部は高さ（ｈ）および半径（ｒ）を有し、高さ（ｈ）に対する半径（ｒ）の比が約１．２よりも大きいポンプ本体；
一方の端面の中心部分と動作可能に関連し、かつ前記端面に、共振の曲げモードおよびブリージングモードを有する周波数（ｆ）の振動運動を発生させるように適合され、それにより、印加された駆動信号に応答して、少なくとも１つの環状圧力ノードを含む前記空洞部内の流体に半径方向圧力振動を生成させる、圧電素子；
前記圧電素子に前記周波数（ｆ）の前記駆動信号を提供するために、前記圧電素子に電気的に接続された出力部を有する駆動回路であって、前記駆動信号が、方形波信号であり、前記圧電素子の基本曲げモード以外の前記圧電素子のモードの周波数と一致する当該方形波信号の高調波成分を減衰させるデューティサイクルを有する、駆動回路；
前記空洞部内の、前記環状圧力ノードの位置以外の任意の位置に配置され、かつ前記ポンプ本体を通って延在する第１の開口部；
前記ポンプ本体内の、前記第１の開口部の位置以外の任意の位置に配置され、かつ前記ポンプ本体を通って延在する第２の開口部；および、
前記第１の開口部および第２の開口部の少なくとも一方に配置されて、使用時に前記流体が前記空洞部を通って流れるようにする弁
を含むことを特徴とするポンプ。
【請求項２】
請求項１に記載のポンプにおいて、前記周波数（ｆ）が、前記圧電素子の基本曲げモードにほぼ等しい値に設定されていることを特徴とするポンプ。
【請求項３】
請求項１に記載のポンプにおいて、前記空洞部の高さ（ｈ）および前記空洞部の半径（ｒ）が、以下の式：ｈ２／ｒ＞４×１０−１０メートルでさらに関連付けられていることを特徴とするポンプ。
【請求項４】
請求項１に記載のポンプにおいて、前記圧電素子の半径（ａ）および前記空洞部の半径（ｒ）が、以下の式：ａ≧０．６３×ｒで関連付けられていることを特徴とするポンプ。
【請求項５】
請求項４に記載のポンプにおいて、前記圧電素子の半径（ａ）が、前記空洞部の半径（ｒ）以下であることを特徴とするポンプ。
【請求項６】
請求項１に記載のポンプにおいて、前記空洞部の半径をｒとした場合に、前記第２の開口部が、前記端面の中心から約（０．６３±０．２）×ｒの距離において前記端面の一方に配置されることを特徴とするポンプ。
【請求項７】
請求項１に記載のポンプにおいて、前記弁が、流体が前記空洞部を実質的に一方向に流れるようにすることを特徴とするポンプ。
【請求項８】
請求項１に記載のポンプにおいて、前記空洞部内で使用している流体が気体である場合、前記比が約１０〜約５０の範囲内にあることを特徴とするポンプ。
【請求項９】
請求項１に記載のポンプにおいて、前記空洞部内で使用している流体が気体である場合、ｈ２／ｒの比が約１０−３メートル〜約１０−６メートルであることを特徴とするポンプ。
【請求項１０】
請求項１に記載のポンプにおいて、前記空洞部の体積が約１０ｍｌ未満であることを特徴とするポンプ。
【請求項１１】
請求項１に記載のポンプにおいて、前記駆動回路が、前記方形波信号の高調波成分を減衰する低域フィルタを含むことを特徴とするポンプ。
【請求項１２】
請求項１に記載のポンプにおいて、前記駆動回路が、前記方形波信号の高調波成分を減衰するノッチフィルタを含むことを特徴とするポンプ。
【請求項１３】
請求項１に記載のポンプにおいて、前記デューティサイクルが、前記圧電素子のブリージングモードの周波数と一致する前記方形波信号の前記高調波成分がゼロに設定される値に等しいことを特徴とするポンプ。
【請求項１４】
請求項１３に記載のポンプにおいて、前記デューティサイクルが約４２．９％であり、前記圧電素子の基本ブリージングモードの周波数と一致する前記方形波信号の第７の高調波成分を減衰させることを特徴とするポンプ。
【請求項１５】
組織部位を処置するために減圧を発生させるポンプにおいて：
流体を収容するために、２つの端面によって閉鎖された側壁を有する、実質的にシリンダー形状の空洞部を有するポンプ本体；
一方の端面の中心部分と動作可能に関連し、かつ前記端面に、共振の曲げモードおよびブリージングモードを有する周波数（ｆ）の振動運動を発生させるように適合され、それにより、印加された駆動信号に応答して、少なくとも１つの環状圧力ノードを含む前記空洞部内の流体に半径方向圧力振動を生成させる、圧電素子；
前記圧電素子に周波数（ｆ）の駆動信号を提供するために、前記圧電素子と通信する出力部を有する駆動回路であって、前記駆動信号が、方形波信号であり、前記圧電素子の基本曲げモード以外の前記圧電素子のモードの周波数と一致する当該方形波信号の高調波成分を減衰させるデューティサイクルを有する、駆動回路
を含むことを特徴とするポンプ。
【請求項１６】
請求項１５に記載のポンプにおいて、前記駆動回路が、前記圧電素子の、基本曲げモード以外のモードと一致する前記方形波信号の高調波を減衰させる処理回路を含むことを特徴とするポンプ。
【請求項１７】
請求項１６に記載のポンプにおいて、前記処理回路が低域フィルタを含むことを特徴とするポンプ。
【請求項１８】
請求項１６に記載のポンプにおいて、前記処理回路がノッチフィルタを含むことを特徴とするポンプ。
【請求項１９】
請求項１６に記載のポンプにおいて、前記処理回路が、前記方形波のデューティサイクルを、前記圧電素子のブリージングモードを励振する前記方形波信号の高調波を減衰させる値に設定することを特徴とするポンプ。
【請求項２０】
請求項１９に記載のポンプにおいて、前記デューティサイクルが、前記圧電素子のブリージングモードと一致する前記方形波の高調波成分がゼロに設定される値に等しいことを特徴とするポンプ。
【請求項２１】
請求項２０に記載のポンプにおいて、前記デューティサイクルが約４２．９％であり、前記圧電素子の前記ブリージングモードと一致する前記方形波の第７の高調波成分を減衰させることを特徴とするポンプ。
【請求項２２】
請求項１５に記載のポンプにおいて、
前記空洞部内の、環状ノードの位置以外の任意の位置に配置され、かつ前記ポンプ本体を通って延在する第１の開口部；
前記ポンプ本体内の、前記第１の開口部の位置以外の任意の位置に配置され、かつ前記ポンプ本体を通って延在する第２の開口部；および
前記第１の開口部および第２の開口部の少なくとも一方に配置され、使用時に前記流体が前記空洞部を通って流れるようにする弁
をさらに含むことを特徴とするポンプ。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
水を吸収可能な吸水層と、
ラベルをパッケージングに粘着可能に設けられた粘着層と、
を備え、
これにより製品パッケージング内の雰囲気の湿度を調節可能であり、
使用時に、吸水層が乾燥するにつれて、吸水層の下に配置された画像表徴が目視しにくくなり、吸水層が湿潤するにつれて、吸水層の下に配置された画像表徴が目視しやすくなる、製品パッケージングのための自己粘着型調湿ラベル。
【請求項２】
吸水層により吸収された水が、製品パッケージング内の雰囲気の湿度を調節すべく吸水層から蒸発可能である、請求項１に記載の自己粘着型調湿ラベル。
【請求項３】
吸水層が、繊維パッドを含む、請求項１または２に記載の自己粘着型調湿ラベル。
【請求項４】
繊維パッドが、ポリオレフィン繊維を含む、請求項３に記載の自己粘着型調湿ラベル。
【請求項５】
吸水層が、親水性材料を含む、請求項１または２に記載の自己粘着型調湿ラベル。
【請求項６】
親水性材料が、ハイドロゲルを含む、請求項５に記載の自己粘着型調湿ラベル。
【請求項７】
吸水層が、スポンジ材料を含む、請求項１または２に記載の自己粘着型調湿ラベル。
【請求項８】
吸水層が表側に粘着した基層をさらに含み、基層の裏側に粘着層が設けられている、請求項１〜７のいずれかに記載の自己粘着型調湿ラベル。
【請求項９】
基層が表示領域を具備し、かつ、表示領域が吸水層の縁辺を超えて延在するように、基層が、吸水層より大きい、請求項８に記載の自己粘着型調湿ラベル。
【請求項１０】
基層の表示領域上に、使用上の指示および／または商用画像が設けられている、請求項９に記載の自己粘着型調湿ラベル。
【請求項１１】
吸水層が、基層の中央に位置する、請求項８〜１０のいずれかに記載の自己粘着型調湿ラベル。
【請求項１２】
基層が、ポリプロピレンを含む、請求項８〜１１のいずれかに記載の自己粘着型調湿ラベル。
【請求項１３】
基層が、一軸延伸ポリプロピレンを含む、請求項１２に記載の自己粘着型調湿ラベル。
【請求項１４】
吸水層が、感圧粘着剤により基層に粘着している、請求項８〜１３のいずれかに記載の自己粘着型調湿ラベル。
【請求項１５】
粘着層が、感圧粘着剤を含む、請求項１〜１４のいずれかに記載の自己粘着型調湿ラベル。
【請求項１６】
吸水層の不透明度が、吸水層により保持される水の量の関数として変化する、請求項１〜１５のいずれかに記載の自己粘着型調湿ラベル。
【請求項１７】
吸水層が、乾燥状態では、第１の不透明度を有し、飽和状態では、第１の不透明度より小さな第２の不透明度を有する、請求項１〜１６のいずれかに記載の自己粘着型調湿ラベル。
【請求項１８】
吸水層の下に、画像表徴が設けられている、請求項１〜１７のいずれかに記載の自己粘着型調湿ラベル。
【請求項１９】
基層の上に、画像表徴が設けられている、請求項８に従属する場合の請求項１８に記載の自己粘着型調湿ラベル。
【請求項２０】
裏当て紙に剥離可能に粘着された、複数の自己粘着型調湿ラベルであって、
各々の自己粘着型調湿ラベルが、請求項１〜１９のいずれかに記載の自己粘着型調湿ラベルである、複数の自己粘着型調湿ラベル。
【請求項２１】
リールに巻かれた裏当て紙に剥離可能に粘着された、リール巻きの複数の自己粘着型調湿ラベルであって、
各々の自己粘着型調湿ラベルが、請求項１〜１９のいずれかに記載の自己粘着型調湿ラベルである、リール巻きの複数の自己粘着型調湿ラベル。
【請求項２２】
製品を収容できる容量を画定する製品パッケージングであって、請求項１〜１９のいずれかに記載の自己粘着型調湿ラベルが、容量内の湿度を調節可能に容量内に配置されるように、製品パッケージングに粘着している、製品パッケージング。
【請求項２３】
タバコ製品のためのパッケージングである、請求項２２に記載の製品パッケージング。
【請求項２４】
タバコ製品が、手巻き用タバコまたは葉巻タバコまたは紙巻きタバコまたは嗅ぎタバコまたはスヌースである、請求項２３に記載の製品パッケージング。
【請求項２５】
容量を画定するコンテナベースを具備するタブ型容器および脱着可能な蓋を含み、自己粘着型調湿ラベルが蓋の内側に粘着している、請求項２２〜２４のいずれかに記載の製品パッケージング。
【請求項２６】
製品パッケージング用のリール巻きの自己粘着型調湿ラベルの製造方法であって、
粘着剤を、吸水性材料の連続ウェブの裏側に適用する工程と、
吸水性材料のウェブを、裏当て紙に剥離可能に粘着する工程と、
一連の個別の吸水層を、吸水性材料のウェブから切り出す工程と、
吸水性材料のスケルトンを除去する工程と、
裏当て紙をリールに巻き取る工程と
を含む自己粘着型調湿ラベルの製造方法。
【請求項２７】
粘着剤を、基材の連続ウェブの裏側に適用する工程と、
基材のウェブを、裏当て紙に剥離可能に粘着する工程と、
一連の個別の基層を、基材のウェブから切り出す工程と、
基材のスケルトンを除去する工程と、
個別の吸水層をその裏当て紙から繰り返し剥がし、個別の基層に粘着させて、一連のラミネート自己粘着型調湿ラベルを形成する工程と
をさらに含む、請求項２６に記載の自己粘着型調湿ラベルの製造方法。
【手続補正書】
【提出日】平成28年8月3日(2016.8.3)
【手続補正１】
【補正対象書類名】明細書
【補正対象項目名】０１００
【補正方法】変更
【補正の内容】
【０１００】
また、図６は、吸遮音材を自動車の騒音誘発装置に設置して適用した例を示す概略図であって、（Ａ）は自動車の車体下部に適用される吸遮音材を成形した写真、（Ｂ）は吸遮音材を自動車の車体下部に付着した例を示す写真である。
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
真空チャンバのビューポートのためのプロテクタであって、増幅光ビームの波長を有する放射線と前記増幅光ビームによってイオン化された時にＥＵＶ光を生成するターゲット材料の発光スペクトルに含まれる波長を有する放射線とを吸収しかつ可視光又は近赤外光の１つ又はそれよりも多くを透過する基板材料と、前記基板材料上に形成され前記増幅光ビームの前記波長を有する放射線を反射する層と、を含む、プロテクタと、
前記層が前記真空チャンバの内部に向く状態で、前記プロテクタを保持するマウントと、
を備える、アセンブリ。
【請求項２】
前記基板材料は、ガラス薄膜を含む、請求項１に記載のアセンブリ。
【請求項３】
前記増幅光ビームは、約１０．６μｍの波長を有する、請求項１に記載のアセンブリ。
【請求項４】
前記層は、可視放射線又は近赤外線の１つ又はそれよりも多くを透過する、請求項１に記載のアセンブリ。
【請求項５】
前記層は、８４５ｎｍから８６５ｎｍまでの波長を有する放射線のみを透過する、請求項４に記載のアセンブリ。
【請求項６】
前記層は、８００ｎｍから８４０ｎｍまでの波長を有する放射線のみを透過する、請求項４に記載のアセンブリ。
【請求項７】
前記層は、１０５０ｎｍから１０９０ｎｍまでの波長を有する放射線のみを透過する、請求項４に記載のアセンブリ。
【請求項８】
前記マウントは、前記プロテクタを受け入れて取り囲むホルダを含み、
前記ホルダは、前記ビューポートによって定められる開口に嵌合する、請求項１に記載のアセンブリ。
【請求項９】
前記マウントは、前記プロテクタを前記ホルダ内に固定するロッキング要素を更に含む、請求項８に記載のアセンブリ。
【請求項１０】
前記ホルダ及び前記ロッキング要素は、リング形状である、請求項８に記載のアセンブリ。
【請求項１１】
前記ロッキング要素及び前記ホルダは、対応するネジ山を有し、
前記ロッキング要素は、前記プロテクタを前記ホルダ内に固定するために前記ホルダ内に螺合する、請求項１０に記載のアセンブリ。
【請求項１２】
前記ビューポートの少なくとも一部分が、前記マウントの少なくとも一部分である、請求項１に記載のアセンブリ。
【請求項１３】
前記層は、前記増幅光ビームによってイオン化された時にＥＵＶ光を生成するターゲット材料の発光スペクトルに含まれる波長を有する前記放射線を反射する、請求項１に記載のアセンブリ。
【請求項１４】
前記発光スペクトルに含まれる前記波長及び前記増幅光ビームの前記波長は、異なっている、請求項１３に記載のアセンブリ。
【請求項１５】
増幅光ビームを受け入れる真空チャンバであって、前記真空チャンバの内部への開口部を定める側壁を含む、真空チャンバと、
前記真空チャンバに結合されたビューポートと、
前記増幅光ビームの波長と前記増幅光ビームによってイオン化された時にＥＵＶ光を生成するターゲット材料の発光スペクトルに含まれる波長とを有する放射線を吸収しかつ可視光又は近赤外光の１つ又はそれよりも多くを透過する基板材料と、前記基板材料上に形成され前記増幅光ビームの前記波長を有する放射線を反射する層と、を含み、前記ビューポートに結合されて前記真空チャンバの前記内部への前記開口部に向くプロテクタと、
を備える、極紫外（ＥＵＶ）光源。
【請求項１６】
前記プロテクタを前記ビューポートに結合するマウントを更に含む、請求項１５に記載の光源。
【請求項１７】
前記基板は、ガラス薄膜を含む、請求項１５に記載の光源。
【請求項１８】
前記ビューポートは、開口を定めるリング形状ディスクを含み、
前記プロテクタは、前記プロテクタの前記層が前記真空チャンバの前記内部を向きかつ前記プロテクタの中心が該開口の中心に対応するように前記プロテクタを前記ビューポートに配置することによって、前記ビューポートに結合される、請求項１５に記載の光源。
【請求項１９】
前記ビューポートと前記真空チャンバの間に置かれる標準銅ガスケットを更に含む、請求項１８に記載の光源。
【請求項２０】
前記層は、可視放射線又は近赤外線の１つ又はそれよりも多くを透過する、請求項１８に記載の光源。
【請求項２１】
極紫外（ＥＵＶ）光源のビューポートを保護する方法であって、
第１のスペクトル帯域の放射線を吸収して第２のスペクトル帯域の放射線を透過する基板と、前記基板上にあり前記第１のスペクトル帯域の放射線を反射する層と、を含むプロテクタを、窓材料とフランジとを含むビューポートに装着することと、
前記ビューポートと、真空チャンバによって定められる開口部に結合されたバルブアセンブリと、の間にガスケットを配置することと、
前記ビューポートと前記真空チャンバの内部との間に真空シールを生成することと、
を含む、方法。
【請求項２２】
前記第１のスペクトル帯域は、１０．６μｍを含む、請求項２１に記載の方法。
【請求項２３】
ビューポート内のホルダに前記プロテクタを配置することを更に含み、
前記ビューポートに前記プロテクタを装着することは、前記ビューポートに前記ホルダを配置することを含む、請求項２１に記載の方法。
【請求項２４】
極紫外（ＥＵＶ）光源のためのマウントであって、
プロテクタを受け入れ、かつ、標準ガスケットを用いて真空チャンバに対して密封されるビューポートに配置されたホルダであって、長手軸を定めかつ前記長手軸上に中心がある通路を定める側壁を含む、ホルダと、
開口を定めかつ前記ホルダの内部面に接続する外部面を有するロッキング要素と、を備え、
前記ロッキング要素を前記ホルダに接続することが、前記プロテクタを、前記プロテクタが前記長手軸に沿って実質的に妨げられることなく前記ホルダ内に固定する、マウント。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
懸濁液からターゲット物質を取り出すためのシステムであって、該システムは、
前記懸濁液を含む主容器と、
前記ターゲット物質の密度より大きい密度の変位流体を含み、コレクタの第１の開口に挿入される処理容器と、を備え、 
前記コレクタは、前記主容器の開口に挿入され前記主容器内へと開く第２の開口をもち、該第２の開口は、前記第１の開口に挿入された前記処理容器の端部を閉じる再封止可能なプラグを通って該処理容器の内部に延びることができるカニューレによって、前記第１の開口に接続される、  前記システム。
【請求項２】
前記コレクタは、本体の周りに円周方向に延びるリッジを有する、請求項１に記載のシステム。
【請求項３】
前記コレクタは、空洞の少なくとも一部にアクセスするための少なくとも一つのウィンドウを本体に有する、請求項１に記載のシステム。
【請求項４】
前記主容器内の浮きと、
前記主容器が前記浮きに接触して該主容器と該浮きとの間に封止を形成するよう前記主容器の外周りに延びる封止リングと、をさらに備える、
請求項１に記載のシステム。
【請求項５】
前記変位流体は、 
有機溶剤、液体ワックス、オイル、ガス、およびこれらの組み合わせ；オリーブオイル、ミネラルオイル、シリコーンオイル、液浸オイル(immersion oil)、ミネラルオイル、パラフィンオイル、シリコンオイル、フルオロシリコーン、過フルオロデカリン(perfluorodecalin)、過フルオロパーヒドロフェナントレン(perfluoroperhydrophenanthrene)、過フルオロ臭化オクチル(perfluorooctylbromide)、有機溶剤、1,4ジオキサン(1,4-Dioxane)、アセトニトリル、エチルアセテート、ターブタノール(tert-butanol)、シクロヘキサノン(cyclohexanone)、塩化メチレン、ターアミルアルコール(tert-Amyl alocohol)、ターブチルメチルエーテル(tert-Butyl methyl eter)、ブチルアセテート、ヘクサノール(hexanol)、ニトロベンゼン、トルエン、オクタノール、オクタン、炭酸プロピレン、テトラメチレンスルフォン、イオン液、ポリマーベースの溶液、界面活性剤、過フルオロケトン(perfluoroketones)、過フルオロシクロペンタノン(perfluorocyclopentanone)、過フルオロシクロヘキサノン（perfluorocyclohexanone）、フッ化ケトン、ヒドロフルオロエーテル、ヒドロフルオロカーボン、過フルオロカーボン(perfluorocarbons)、過フルオロポリエーテル(perfluoropolyethers)、シリコン、シリコンベースの液体、フェニルメチルシロキサン(phenylmethyl siloxane)、およびこれらの組み合わせ、
からなるグループから選択されている、請求項１に記載のシステム。
【請求項６】
前記変位流体は、ポリビニルピロリドンまたは多糖類溶液で被覆されれいるコロイド系シリカ粒子の溶液である、請求項１に記載のシステム。
【請求項７】
前記浮きが本体に少なくとも一つの支持部材を有する、請求項４に記載のシステム。
【請求項８】
前記コレクタの前記第２の開口が頂点に延びる漏斗を含む、請求項１に記載のシステム。
【請求項９】
前記カニューレが前記頂点から前記第１の開口に少なくとも部分的に延びる、請求項８に記載のシステム。
【請求項１０】
前記カニューレは、管または針である、請求項１に記載のシステム。
【請求項１１】
前記ターゲット物質は、バッフィコート、細胞、胎生核化赤血球、循環腫瘍細胞、循環内皮細胞、胎生細胞、小胞、リポソーム、タンパク質、核酸、生物学的分子、閉じた膜を持つ自然発生の顕微鏡的なユニット、または閉じた膜を持つ人工的に用意された顕微鏡的なユニット、寄生虫、微生物、ウィルス、または炎症細胞である、請求項１に記載のシステム。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
拡張現実ディスプレイ内の仮想オブジェクトを整理するための方法であって、
現実世界の場面に重ね合わされた複数の仮想オブジェクトを有する仮想の視野を提示するように構成されたディスプレイを提供するステップと、
前記仮想の視野内の複数の領域を識別するステップと、
前記現実世界の場面内に存在する現実世界のオブジェクトに基づいて、優先度を前記仮想の視野の前記複数の領域に割り当てるステップであって、
前記複数の領域のうちのそれぞれの領域の優先度が、前記それぞれの領域において識別された1つまたは複数の現実世界のオブジェクトに基づく、ステップと、
前記優先度を割り当てられた複数の領域に基づいて配置された、前記仮想の視野内の前記複数の仮想オブジェクトを表示するステップと
を含む方法。
【請求項２】
最も低い優先度が割り当てられた前記複数の領域が、前記複数の仮想オブジェクトを表示するために使用される、請求項1に記載の方法。
【請求項３】
前記複数の領域の前記優先度を割り当てるステップの前に、前記現実世界の場面の画像をキャプチャするステップ
をさらに含む、請求項1に記載の方法。
【請求項４】
現実世界のオブジェクトについての優先度を定義するユーザ選好のセットを受け取るステップであって、前記ユーザ選好のセットが、前記複数の領域の前記優先度を割り当てるために使用される、ステップ
をさらに含む、請求項1に記載の方法。
【請求項５】
前記複数の領域の各領域の前記優先度が、前記領域において識別された前記1つまたは複数の現実世界のオブジェクトによって示された移動量に少なくとも部分的に基づく、請求項1に記載の方法。
【請求項６】
前記複数の領域の各領域の前記優先度が、前記領域において識別された前記1つまたは複数の現実世界のオブジェクトによって示された光度に少なくとも部分的に基づく、請求項1に記載の方法。
【請求項７】
前記複数の仮想オブジェクトが、ユーザが入力を与えるまで、前記優先度を割り当てられた複数の領域に基づいて配置されない、請求項1に記載の方法。
【請求項８】
前記ディスプレイが、ヘッドマウントディスプレイ(HMD)を含む、請求項1に記載の方法。
【請求項９】
前記優先度を割り当てられた複数の領域に基づいて配置された、前記仮想の視野内の前記複数の仮想オブジェクトを表示するステップが、前記複数の仮想オブジェクトが以前に表示のために配置されてから少なくともしきい値期間が経過した場合に行われる、請求項1に記載の方法。
【請求項１０】
拡張現実ディスプレイ内の仮想オブジェクトを整理するためのシステムであって、
現実世界の場面に重ね合わされた複数の仮想オブジェクトを有する仮想の視野を提示するように構成されたディスプレイと、
前記仮想の視野内の複数の領域を識別させることと、
前記現実世界の場面内に存在する現実世界のオブジェクトに基づいて、優先度を前記仮想の視野の前記複数の領域に割り当てることであって、
前記複数の領域のうちのそれぞれの領域の優先度が、前記それぞれの領域において識別された1つまたは複数の現実世界のオブジェクトに基づく、割り当てることと、
前記ディスプレイに、前記優先度を割り当てられた複数の領域に基づいて配置された、前記仮想の視野内の前記複数の仮想オブジェクトを表示させることと
を行うように構成されたプロセッサと
を備えるシステム。
【請求項１１】
前記複数の領域の前記優先度を割り当てる前に、前記現実世界の場面の画像をキャプチャするように構成されたカメラをさらに備える、請求項10に記載のシステム。
【請求項１２】
拡張現実ディスプレイ内の仮想オブジェクトを整理するための装置であって、
現実世界の場面に重ね合わされた複数の仮想オブジェクトを有する仮想の視野を提示するための手段と、
前記仮想の視野内の複数の領域を識別するための手段と、
前記現実世界の場面内に存在する現実世界のオブジェクトに基づいて、優先度を前記仮想の視野の前記複数の領域に割り当てるための手段であって、
前記複数の領域のうちのそれぞれの領域の優先度が、前記それぞれの領域において識別された1つまたは複数の現実世界のオブジェクトに基づく、手段と、
前記優先度を割り当てられた複数の領域に基づいて配置された、前記仮想の視野内の前記複数の仮想オブジェクトを表示するための手段と
を備える装置。
【請求項１３】
拡張現実ディスプレイ内の仮想オブジェクトを整理するための、非一時的プロセッサ可読記録媒体に記録されたコンピュータプログラムであって、請求項1乃至9のいずれか1項に記載の方法をプロセッサに実行させるように構成されたプロセッサ可読命令を含むコンピュータプログラム。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
コンピューティングデバイス上で実行される、電子リーダ環境においてフラットコンテンツからリッチコンテンツへの変換を提供するための方法であって、
前記フラットコンテンツ内のキー用語を識別するステップと、
前記識別されたキー用語についてコンテキストを特定するステップと、
前記識別されたキー用語についてコンテキストベースの検索を実行するステップと、
前記検索の結果に基づいて前記フラットコンテンツを補強して、前記リッチコンテンツを生成するステップと
を含む方法。
【請求項２】
前記リッチコンテンツに補強されたオーディオまたはビデオコンテンツ要素内の選択されたロケーションに注釈を付加するステップをさらに含む、請求項１に記載の方法。
【請求項３】
前記検索の前記結果をランク付けすること、および前記ランク付けされた結果を所定のしきい値と比較することによって、１つまたは複数の補強要素を特定するステップ
をさらに含む、請求項１に記載の方法。
【請求項４】
前記補強要素が、テキストデータ、グラフィックデータ、イメージ、オーディオオブジェクト、ビデオオブジェクト、およびインタラクティブオブジェクトのうちの１つまたは複数を含む、請求項３に記載の方法。
【請求項５】
インラインメモ作成、インキング、スニペットの選択、スニペットベースのナビゲーション、デバイス変更時のレイアウトリフロー、ならびに、ローカルおよびウェブベースのデータのコンテキストベースの検索を含む１つまたは複数のインタラクティビティー機能を提供するステップ
をさらに含む、請求項１に記載の方法。
【請求項６】
１つのキー用語から所定の近さ内にある少なくとも１つの用語、表示されているコンテンツのタイトル、および表示されているコンテンツのタイプのうちの１つまたは複数から前記コンテキストを特定するステップ
をさらに含む、請求項１に記載の方法。
【請求項７】
ユーザの属性からユーザの関心を特定するステップと、
前記ユーザの関心に基づいて補強要素を選択するステップと
をさらに含む、請求項１に記載の方法。
【請求項８】
電子リーダ環境においてフラットコンテンツからリッチコンテンツへの変換を提供するためのコンピューティングデバイスであって、
命令を格納するように構成されているメモリと、
前記メモリに結合されているプロセッサとを含み、前記プロセッサが、前記メモリ内に格納されている前記命令とともに電子リーダアプリケーションを実行し、前記電子リーダアプリケーションが、
前記フラットコンテンツ内のキー用語を識別し、
前記識別されたキー用語についてコンテキストを特定し、
前記識別されたキー用語についてコンテキストベースの検索を実行し、
前記検索の結果をランク付けすることによって、１つまたは複数の補強要素を特定し、
前記ランク付けされた結果を、カスタマイズ可能な所定のしきい値と比較し、
前記検索の結果に基づいて前記フラットコンテンツを補強して、前記リッチコンテンツを生成するように構成されている、コンピューティングデバイス。
【請求項９】
前記電子リーダアプリケーションが、
タッチ入力、ジェスチャー入力、マウス入力、キーボード入力、ジャイロスコープ入力、およびアイトラッキング入力のうちの１つまたは複数を通じてユーザのための対話を可能にするようにさらに構成されている、請求項８に記載のコンピューティングデバイス。
【請求項１０】
前記コンピューティングデバイスが、ホスト型サービスとして前記電子リーダアプリケーションを提供するサーバであり、前記電子リーダアプリケーションが、
前記フラットコンテンツを前記リッチコンテンツに１回変換し、
前記生成されたリッチコンテンツを複数のユーザに提供するようにさらに構成されている、請求項８に記載のコンピューティングデバイス。
【請求項１１】
電子リーダ環境においてフラットコンテンツからリッチコンテンツへの変換を提供するための命令が格納されているコンピュータ可読メモリデバイスであって、前記命令が、
前記フラットコンテンツ内のキー用語を識別するステップと、
前記識別されたキー用語についてコンテキストを特定するステップと、
前記識別されたキー用語についてコンテキストベースの検索を実行するステップと、
前記検索の結果をランク付けすることによって、１つまたは複数の補強要素を特定するステップと、
前記ランク付けされた結果を所定のしきい値と比較するステップと、
前記検索の結果に基づいて前記フラットコンテンツを補強して、前記リッチコンテンツを生成するステップと、
インラインメモ作成、インキング、スニペットの選択、スニペットベースのナビゲーション、デバイス変更時のレイアウトリフロー、ならびに、ローカルおよびウェブベースのデータのコンテキストベースの検索を含む１つまたは複数のインタラクティビティー機能を提供するステップと
を含む、コンピュータ可読メモリデバイス。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
拡張現実ペアのガラスとして構成され、およびコンテンツを表示するように構成された光デバイスを制御する方法であって、前記方法は、
第１の赤外発光ダイオード（ＩＲ  ＬＥＤ）と第２のＩＲ  ＬＥＤとの間の前記ペアのガラス上に位置する赤外（ＩＲ）近接センサーに近接して実行された対応する複数の異なる非接触ジェスチャーに応答して複数の異なるジェスチャー信号のうちの１つを生成することと、前記第１のＩＲ  ＬＥＤが前記センサーの方向に第１の信号を送信し、前記第２のＩＲ  ＬＥＤが前記センサーの方向に第２の信号を送信し、前記ジェスチャー信号は前記第１の信号および前記第２の信号の妨害のシーケンスに対応し、第１のジェスチャー信号は、前記第２の信号の妨害が続く前記第１の信号の妨害に対応し、第２のジェスチャー信号は、前記第１の信号の妨害が続く前記第２の信号の妨害に対応する、
複数の異なるジェスチャー信号のうちの前記生成された１つを使用してコマンドを識別することと、
前記コマンドを実行することとを備える、方法。
【請求項２】
前記第１のジェスチャー信号が、右スワイプまたは下向きスワイプ非接触ジェスチャーのうちの１つに対応し、前記第２のジェスチャー信号が、左スワイプまたは上向きスワイプ非接触ジェスチャーのうちの１つに対応する、請求項１に記載の方法。
【請求項３】
前記コマンドを実行することが、前記コンテンツとグラフィカルユーザインターフェース（ＧＵＩ）とのうちの少なくとも１つを制御するための機能を実行することを備える、請求項１に記載の方法。
【請求項４】
前記コンテンツが、拡張現実情報、電子ブック（ｅブック）、またはムービーのうちの１つである、請求項１に記載の方法。
【請求項５】
前記ＩＲ近接センター、前記第１のＩＲ  ＬＥＤ、および前記第２のＩＲ  ＬＥＤが前記ペアのガラスの前面部分または前記ペアのガラスの側面部分のうちの１つに位置する、請求項１に記載の方法。
【請求項６】
拡張現実ペアのガラスとして構成され、およびコンテンツを表示するように構成された光デバイスを制御するための装置であって、前記装置は、
第１の赤外発光ダイオード（ＩＲ  ＬＥＤ）と第２のＩＲ  ＬＥＤとの間の前記ペアのガラス上に位置する赤外（ＩＲ）近接センサーに近接して実行された対応する複数の異なる非接触ジェスチャーに応答して複数の異なるジェスチャー信号のうちの１つを生成するための手段と、前記第１のＩＲ  ＬＥＤが前記センサーの方向に第１の信号を送信し、前記第２のＩＲ  ＬＥＤが前記センサーの方向に第２の信号を送信し、前記ジェスチャー信号は前記第１の信号および前記第２の信号の妨害のシーケンスに対応し、第１のジェスチャー信号は、前記第２の信号の妨害が続く前記第１の信号の妨害に対応し、第２のジェスチャー信号は、前記第１の信号の妨害が続く前記第２の信号の妨害に対応する、
複数の異なるジェスチャー信号のうちの前記生成された１つを使用してコマンドを識別するための手段と、
前記コマンドを実行するための手段とを備える、装置。
【請求項７】
前記第１のジェスチャー信号が、右スワイプまたは下向きスワイプ非接触ジェスチャーのうちの１つに対応し、前記第２のジェスチャー信号が、左スワイプまたは上向きスワイプ非接触ジェスチャーのうちの１つに対応する、請求項６に記載の装置。
【請求項８】
前記コマンドを実行するための前記手段が、前記コンテンツとグラフィカルユーザインターフェース（ＧＵＩ）とのうちの少なくとも１つを制御するための機能を実行するように構成された、請求項６に記載の装置。
【請求項９】
前記コンテンツが、拡張現実情報、電子ブック（ｅブック）、またはムービーのうちの１つである、請求項６に記載の装置。
【請求項１０】
前記ＩＲ近接センター、前記第１のＩＲ  ＬＥＤ、および前記第２のＩＲ  ＬＥＤが前記ペアのガラスの前面部分または前記ペアのガラスの側面部分のうちの１つに位置する、請求項６に記載の装置。
【請求項１１】
拡張現実ペアのガラスとして構成された光デバイスに含まれるコンピュータプログラム製品であって、前記光デバイスはコンテンツを表示するように構成され、前記製品は、
請求項１−５のうちのいずれか一項の方法を実行するためのコードを備えるコンピュータ可読媒体を備える、コンピュータプログラム製品。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
ネットワークサービスを提供するための方法であって、1つまたは複数のプロセッサによって実装され、
複数のネットワークサービスライブラリを記憶するステップであって、各ネットワークサービスライブラリが、対応するネットワークサービスに関連付けられ、各ネットワークサービスライブラリが、前記ネットワークサービスのための権利管理ルールのセットを含む、記憶するステップと、
デバイスから通信を受信するステップであって、前記通信が識別子のセットを含む、受信するステップと、
前記通信によって指定された前記ネットワークサービスを判断するステップと、
前記判断されたネットワークサービスのための権利管理ルールの前記セットに基づく1つまたは複数の制御パラメータを判断するステップと、
前記判断されたネットワークサービスのための識別子の前記セットによって識別されるメディアリソースにアクセスするための再生リンクのセットを判断するステップと、
前記通信によって識別される再生デバイスに再生リンクの前記セットを与えるステップであって、リンクの前記セットが、前記1つまたは複数の制御パラメータを備える、与えるステップと
を含む方法。
【請求項２】
前記複数のネットワークサービスライブラリを記憶するステップが、ネットワークサービスごとのリンクデータの集合を記憶するステップを含み、ネットワークサービスごとの前記リンクデータが、そのネットワークサービスによって与えられたメディアリソースを識別し、
再生リンクの前記セットを判断するステップが、前記リンクデータを使用して再生リンクの前記セット中の対応する再生リンクに個別の識別子を相関させるステップを含む、請求項1に記載の方法。
【請求項３】
前記1つまたは複数の制御パラメータが、前記再生デバイス上で再生リンクの前記セットを使用するための許可されたシーケンスを制御する、請求項1に記載の方法。
【請求項４】
前記1つまたは複数の制御パラメータが、再生リンクの前記セット中の前記再生リンクのうちの1つまたは複数が使用されるときに実行されるべきアクションを制御する、請求項1に記載の方法。
【請求項５】
前記1つまたは複数の制御パラメータが、再生リンクの前記セットとともに前記ネットワークサービスを使用するときに特定の再生リンクをスキップするのをユーザにより許可される回数を制御する、請求項1に記載の方法。
【請求項６】
前記1つまたは複数の制御パラメータは、前記ネットワークサービスからメディアリソースを受信するのをユーザにより許可される持続時間を制御する、請求項1に記載の方法。
【請求項７】
前記通信が、前記再生デバイス以外のデバイスから受信される、請求項1に記載の方法。
【請求項８】
コンピュータシステムであって、
複数のネットワークサービスライブラリを記憶するためのメモリであって、各ネットワークサービスライブラリが、対応するネットワークサービスに関連付けられ、各ネットワークサービスライブラリが、前記ネットワークサービスのための権利管理ルールのセットを含む、メモリと、
複数のネットワークサービスライブラリを記憶することであって、各ネットワークサービスライブラリが、対応するネットワークサービスに関連付けられ、各ネットワークサービスライブラリが、前記ネットワークサービスのための権利管理ルールのセットを含む、記憶することと、
デバイスから通信を受信することであって、前記通信が識別子のセットを含む、受信することと、
前記通信によって指定された前記ネットワークサービスを判断することと、
前記判断されたネットワークサービスのための権利管理ルールの前記セットに基づく1つまたは複数の制御パラメータを判断することと、
前記判断されたネットワークサービスのための識別子の前記セットによって識別されるメディアリソースにアクセスするための再生リンクのセットを判断することと、
前記通信によって識別される再生デバイスに再生リンクの前記セットを与えることであって、リンクの前記セットが、前記1つまたは複数の制御パラメータを備える、与えることと
を行うために前記メモリにアクセスする1つまたは複数のプロセッサと
を含むコンピュータシステム。
【請求項９】
前記メモリ中に記憶された前記複数のネットワークサービスライブラリが、ネットワークサービスごとのリンクデータの集合を含み、ネットワークサービスごとの前記リンクデータが、そのネットワークサービスによって与えられたメディアリソースを識別し、
前記1つまたは複数のプロセッサが、前記リンクデータを使用して再生リンクの前記セット中の対応する再生リンクに個別の識別子を相関させることによって再生リンクの前記セットを判断するように構成された、請求項8に記載のコンピュータシステム。
【請求項１０】
前記1つまたは複数の制御パラメータが、前記再生デバイス上で再生リンクの前記セットを使用するための許可されたシーケンスを制御する、請求項8に記載のコンピュータシステム。
【請求項１１】
前記1つまたは複数の制御パラメータが、再生リンクの前記セット中の前記再生リンクのうちの1つまたは複数が使用されるときに実行されるべきアクションを制御する、請求項8に記載のコンピュータシステム。
【請求項１２】
前記1つまたは複数の制御パラメータが、再生リンクの前記セットとともに前記ネットワークサービスを使用するときに特定の再生リンクをスキップするのをユーザにより許可される回数を制御する、請求項8に記載のコンピュータシステム。
【請求項１３】
前記1つまたは複数の制御パラメータは、前記ネットワークサービスからメディアリソースを受信するのをユーザにより許可される持続時間を制御する、請求項8に記載のコンピュータシステム。
【請求項１４】
前記通信が、前記再生デバイス以外のデバイスから受信される、請求項8に記載のコンピュータシステム。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
データアレイを含む命令キャッシュと、
予測マスク値に基づいて、マルチビットウェイ予測マスクのビットを選択的に設定するように構成された制御ロジックであって、前記制御ロジックが、前記命令キャッシュに関連付けられ、前記予測マスク値の各ビットの値が、対応するウェイが有効にされるべきかどうかを示す、制御ロジックとを備え、
前記データアレイのラインドライバのサブセットが、前記マルチビットウェイ予測マスクに応じて有効にされ、前記ラインドライバのサブセットが、多重ラインドライバを含む、装置。
【請求項２】
前記予測マスク値の特定のビットが、前記特定のビットに対応する特定のキャッシュラインの内容が前記命令キャッシュから除去されるまで設定されたままである、請求項1に記載の装置。
【請求項３】
前記予測マスク値が電源投入時に初期値に初期化される、請求項1に記載の装置。
【請求項４】
前記予測マスク値の各ビットがゼロ値に設定される、請求項3に記載の装置。
【請求項５】
前記予測マスク値が特定の値に周期的に設定される、請求項1に記載の装置。
【請求項６】
前記予測マスク値が、時間期間の満了後、またはいくつかのキャッシュアクセス動作後に前記初期値に設定される、請求項3に記載の装置。
【請求項７】
ウェイ選択信号に応じて複数のドライバのサブセットによって提供されるデータを選択するように構成されたマルチプレクサをさらに備える、請求項1に記載の装置。
【請求項８】
前記データアレイが、複数のデータラインに結合された複数のドライバを含み、前記複数のドライバの各々が、前記マルチビットウェイ予測マスクの異なるビットによって選択的に有効にされる、請求項1に記載の装置。
【請求項９】
前記予測マスク値が、タグアレイ、レジスタ、または前記命令キャッシュのキャッシュラインに記憶される、請求項1に記載の装置。
【請求項１０】
前記データアレイが、セットアソシアティブ命令キャッシュデータアレイを備える、請求項1に記載の装置。
【請求項１１】
キャッシュにアクセスする方法であって、
予測マスク値に基づいて、マルチビットウェイ予測マスクのビットを選択的に設定するステップであって、前記マルチビットウェイ予測マスクが、複数のラインドライバを有するデータアレイを含む命令キャッシュに関連付けられ、前記予測マスク値の各ビットの値が、対応するウェイが有効にされるべきかどうかを示すステップを含み、
前記複数のラインドライバのうちのラインドライバのサブセットが、前記マルチビットウェイ予測マスクに応じて有効にされ、前記ラインドライバのサブセットが、多重ラインドライバを含む、方法。
【請求項１２】
前記マルチビットウェイ予測マスクの適用が予測外れの結果となった後に、前記予測マスク値を更新するステップをさらに含み、前記予測マスク値が、前記予測外れ後に駆動された特定のウェイを識別するように更新される、請求項11に記載の方法。
【請求項１３】
前記予測マスク値が、キャッシュラインの一部として前記データアレイに記憶される、請求項11に記載の方法。
【請求項１４】
前記マルチビットウェイ予測マスクを前記データアレイのキャッシュラインに対応する前記予測マスク値に設定するステップをさらに含む、請求項11に記載の方法。
【請求項１５】
前記キャッシュラインがアクセスされた後に後続のキャッシュラインを判断するステップと、
前記後続のキャッシュラインに基づいて前記予測マスク値のビットを設定するステップと
をさらに含み、前記ビットが前記後続のキャッシュラインに対応する、請求項14に記載の方法。
【請求項１６】
前記キャッシュラインがフェッチされた後に、前記予測マスク値を有する前記マルチビットウェイ予測マスクを前記ラインドライバに提供するステップをさらに含む、請求項14に記載の方法。
【請求項１７】
前記マルチビットウェイ予測マスクを提供するステップと同時に、タグルックアップ動作を実行するステップをさらに含む、請求項16に記載の方法。
【請求項１８】
前記データアレイの特定のキャッシュラインの内容が置換されているかどうかを判断するステップをさらに含む、請求項11に記載の方法。
【請求項１９】
前記特定のキャッシュラインの前記内容が前記キャッシュラインの前記内容を含むとき、前記予測マスク値を初期値に設定するステップをさらに含む、請求項18に記載の方法。
【請求項２０】
前記特定のキャッシュラインが前記予測マスク値のアサートされたビットに対応するとき、前記予測マスク値の前記アサートされたビットをディアサートするステップをさらに含む、請求項18に記載の方法。
【請求項２１】
予測マスク値に基づいて、マルチビットウェイ予測マスクのビットを選択的に設定するための手段であって、前記マルチビットウェイ予測マスクが、データアレイを含む命令キャッシュに関連付けられ、前記予測マスク値の各ビットの値が、対応するウェイが有効にされるべきかどうかを示す手段と、
前記マルチビットウェイ予測マスクを前記データアレイの複数のラインドライバに提供するための手段と
を備える装置であって、
前記複数のラインドライバのうちのラインドライバのサブセットが、前記マルチビットウェイ予測マスクに応じて有効にされ、前記ラインドライバのサブセットが、多重ラインドライバを含む、装置。
【請求項２２】
前記多重ラインドライバを有効にした後に駆動された複数のウェイから特定のウェイを選択するための手段と、
前記特定のウェイの指示を出力するための手段と、
前記特定のウェイから読み出されたデータを出力するための手段と
をさらに備える、請求項21に記載の装置。
【請求項２３】
非一時的コンピュータ可読記録媒体であって、プロセッサによって実行されたとき、前記プロセッサに、
予測マスク値に従ってマルチビットウェイ予測マスクのビットを選択的に設定させる命令であって、前記マルチビットウェイ予測マスクが、複数のラインドライバを有するデータアレイを含む命令キャッシュに関連付けられ、前記予測マスク値の各ビットの値が、対応するウェイが有効にされるべきかどうかを示す命令を含み、
前記複数のラインドライバのうちのラインドライバのサブセットが、前記マルチビットウェイ予測マスクに応じて有効にされ、前記ラインドライバのサブセットが、多重ラインドライバを含む、非一時的コンピュータ可読記録媒体。
【請求項２４】
前記プロセッサによって実行されたとき、前記プロセッサに、
前記予測マスク値を受信させ、
前記マルチビットウェイ予測マスクの対応するビットに基づいて、前記ラインドライバのサブセットの各ラインドライバを選択的に有効にさせる命令をさらに含む、請求項23に記載の非一時的コンピュータ可読記録媒体。
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
ナトリウム利尿ペプチド、利尿ペプチドまたは血管拡張性ペプチドを含む、心血管症候を治療する医薬組成物であって、該組成物が、ナトリウム利尿ペプチド、利尿ペプチドまたは血管拡張性ペプチドを、それを必要とする患者に、前記患者の臨床評価の２４時間以内に投与することを含む心血管症候を治療する方法のために使用される、前記医薬組成物。
【請求項２】
前記方法が、前記ナトリウム利尿ペプチドを、それを必要とする患者に、前記患者の臨床評価の２０時間以内に投与することを含む、請求項１に記載の医薬組成物。
【請求項３】
前記方法が、前記ナトリウム利尿ペプチドを、それを必要とする患者に、前記患者の臨床評価の８時間以内に投与することを含む、請求項１に記載の医薬組成物。
【請求項４】
前記ナトリウム利尿ペプチドが、心房性ナトリウム利尿ペプチド（ＡＮＰ）、脳ナトリウム利尿ペプチド（ＢＮＰ）、ネシリチド、Ｃ−タイプナトリウム利尿ペプチド（ＣＮＰ）、マンバ属（Dendroaspis）ナトリウム利尿ペプチド（ＤＮＰ）およびウロジラチンからなる群から選択される、請求項１に記載の医薬組成物。
【請求項５】
前記ナトリウム利尿ペプチドがウラリチドである、請求項１から４のいずれかに記載の医薬組成物。
【請求項６】
前記心血管症候が心不全、急性心不全、慢性心不全、うっ血性心不全、急性非代償性心不全、心臓の異常な体液蓄積、心筋浮腫、呼吸困難である、請求項１に記載の医薬組成物。
【請求項７】
前記心血管症候が急性非代償性心不全である、請求項１から６のいずれかに記載の医薬組成物。
【請求項８】
前記ナトリウム利尿ペプチドが静脈内投与される、請求項１に記載の医薬組成物。
【請求項９】
前記ナトリウム利尿ペプチドが１２時間から１２０時間の間の期間に投与される、請求項８に記載の医薬組成物。
【請求項１０】
前記ウロジラチンが少なくとも７．５ｎｇ／ｋｇ／分の速度で投与される、請求項４に記載の医薬組成物。
【請求項１１】
前記ウロジラチンが２００ｎｇ／ｋｇ／分の速度で投与される、請求項４に記載の医薬組成物。
【請求項１２】
前記ウロジラチンが１５ｎｇ／ｋｇ／分の速度で４８時間の期間投与される、請求項４に記載の医薬組成物。
【請求項１３】
前記血管拡張性ペプチドがリラキシンである、請求項１に記載の医薬組成物。
【請求項１４】
前記投与が心筋の細胞死を阻止または最小化する、請求項１から１３のいずれかに記載の医薬組成物。
【請求項１５】
前記投与が、心筋の細胞死を、Ｃ−反応性タンパク質、ＴＮＦ−α、ＩＬ−１β、エンドセリン−１またはガレクチン−３から選択される１つまたは複数の因子の存在下で阻止または最小化する、請求項１４に記載の医薬組成物。
【請求項１６】
前記投与が、心筋細胞のニトロシル化を阻止または最小化する、請求項１から１５のいずれかに記載の医薬組成物。
【請求項１７】
前記投与が、心筋細胞のニトロシル化を、Ｃ−反応性タンパク質、ＴＮＦ−α、ＩＬ−１β、エンドセリン−１またはガレクチン−３から選択される１つまたは複数の因子の存在下で阻止または最小化する、請求項１６に記載の医薬組成物。
【請求項１８】
更に、マンニトールを含む、請求項１から１７のいずれかに記載の医薬組成物。
【請求項１９】
前記マンニトールが、前記ナトリウム利尿ペプチド、利尿ペプチドまたは血管拡張性ペプチドの濃度より２〜９倍高い濃度で前記医薬組成物に存在する、請求項１８に記載の医薬組成物。
【請求項２０】
前記マンニトールが、前記ナトリウム利尿ペプチド、利尿ペプチドまたは血管拡張性ペプチドの濃度より８倍高い濃度で前記医薬組成物に存在する、請求項１９に記載の医薬組成物。
【請求項２１】
心血管症候の治療を必要とする患者の臨床評価の２４時間以内に該患者の心血管症候を治療するための医薬の製造における、ナトリウム利尿ペプチド、利尿ペプチドまたは血管拡張性ペプチドの使用。